(57)【特許請求の範囲】
【請求項１】
複数部材を締結保持する締結部品において、この締結部品はパイプ形状のシャフトとその内側に充填された心材とを有し、そのうちパイプ形状シャフトは径方向に内部まで貫通すると共に長さ方向の一部又は全長に渡って設けられたスリットを備えており、かつそのシャフトは一部又は全部が形状記憶材より構成されており、またもう一方の心材は常温域で高い剛性を有するがシャフト材質である形状記憶材の変態温度を超える温度域では軟化してごく低い剛性しか有しない性賞を持つ材質から構成され、以上によりこの締結部品は常温での使用時にはその締結機能を維持し、加熱により形状記憶材の変態温度を超える温度域になると径方向に収縮し締結機能を喪失して解体容易となるように構成されていることを特徴とする易解体締結部品。
【請求項２】
講求項１記載の易解体締結部品において、前記の心材は、熱可塑性樹脂から構成されていることを特徴とする易解体締結部品。
【請求項３】
請求項１記載の易解体締結部品において、前記心材は、形状記憶樹脂から構成されていることを特徴とする易解体締結部品。
【請求項４】
請求項１記載の易解体締結部品において、前記の心材は、Ｓｎ−ＣｕやＳｎ−Ａｇ，又はＳｎ−Ｐｂなどを成分とするはんだ材料から構成されていることを特徴とする易解体締結部品。
【請求項５】
請求項１記載の易解体締結部品において、前記の心材は、Ｃｕ−Ｚｎ材や水素吸蔵合金などのように特定気体の雰囲気中で脆くなる性質をもつ素材から構成され、請求項１記載の締結部品を加熱すると共に特定気体の雰囲気中に置くことで、この締結部品が径方向に収縮し締結機能を喪失して解体容易となるように構成されていることを特徴とする易解体締結部品。
【請求項６】
請求項１記載の易解体締結部品において、加熱により容易に解体可能であるという表示手段を有していることを特徴とする易解体締結部品。
【発明の詳細な説明】
【０００１】
【発明の属する技術分野】
本発明は、部材と部材とを締結するために使用する締結部品に関し、特に家電品リサイクルのために有効である締結部品に関するものである。
【０００２】
【従来の技術】
複数部材を締結保持する解体容易な締結部品として、一部又は全部が形状記憶材よりできているバイプ形状のシャフトを有し、かつそのシャフトは径方向に内部まで貫通すると共に長さ方向の全長に渡ってスリットが設けられた形状となっている部品が提案されている（特願２０００−１８３１７８、参照）。
【０００３】
この部品は加熱により形状記憶材の変態温度を超える温度域になると径方向に収縮し、締結機能を喪失して解体容易となるように構成されている。
【０００４】
【発明が解決しようとする課題】
しかしながら、上記の締結部品はスリット付の中空パイプ構造のため、通常の使用時においても径が収縮する方向に変形しやすく、長期の使用中で締結機能を維持するという点においてその信頼性に不安があった。
【０００５】
そこで、本発明の技術的課題は、締結機能を長期に渡って維持できる易解体締結部品を提供することにある。
【０００６】
【課題を解決するための手段】
本発明による締結部品は、パイプ形状シャフトに加えその内側に心材を充填したもので、その心材は常温域で高い剛性を有するがシャフト材質である形状記憶材の変態温度を超える温度域では軟化してごく低い剛性しか有しない性質を持つ材質から構成され、これによりこの締結部品は常温での使用時には径方向に収縮しにくくその締結機能を維持し、加熱により形状記憶材の変態温度を超える温度域になると心材の軟化によりシャフトの径方向収縮を妨げずにシャフトを収縮させ、締結機能を喪失して解体容易となるように構成されているものである。
【０００７】
即ち、本発明によれば、複数部材を締結保持する締結部品において、この締結部品はパイプ形状のシャフトとその内側に充填された心材とを有し、そのうちパイプ形状シャフトは径方向に内部まで貫通すると共に長さ方向の一部又は全長に渡って設けられたスリットを備えており、かつそのシャフトは一部又は全部が形状記憶材より構成されており、またもう一方の心材は常温域で高い剛性を有するがシャフト材質である形状記憶材の変態温度を超える温度域では軟化してごく低い剛性しか有しない性賞を持つ材質から構成され、以上によりこの締結部品は常温での使用時にはその締結機能を維持し、加熱により形状記憶材の変態温度を超える温度域になると径方向に収縮し締結機能を喪失して解体容易となるように構成されていることを特徴とする易解体締結部品が得られる。
【０００８】
また、本発明によれば、前記易解体締結部品において、前記の心材は、熱可塑性樹脂から構成されていることを特徴とする易解体締結部品が得られる。
【０００９】
また、本発明によれば、前記易解体締結部品において、前記心材は、形状記憶樹脂から構成されていることを特徴とする易解体締結部品が得られる。
【００１０】
また、本発明によれば、前記易解体締結部品において、前記の心材は、Ｓｎ−ＣｕやＳｎ−Ａｇ，又はＳｎ−Ｐｂなどを成分とするはんだ材料から構成されていることを特徴とする易解体締結部品が得られる。
【００１１】
また、本発明によれば、前記易解体締結部品において、前記の心材は、Ｃｕ−Ｚｎ材や水素吸蔵合金などのように特定気体の雰囲気中で脆くなる性質をもつ素材から構成され、請求項１記載の締結部品を加熱すると共に特定気体の雰囲気中に置くことで、この締結部品が径方向に収縮し締結機能を喪失して解体容易となるように構成されていることを特徴とする易解体締結部品が得られる。
【００１２】
さらに、本発明によれば、前記易解体締結部品において、加熱により容易に解体可能であるという表示手段を有していることを特徴とする易解体締結部品が得られる。
【００１３】
【発明の実施の形態】
以下、本発明の実施の形態について図面を参照しながら説明する。
【００１４】
図１は本発明の実施の形態による易解体締結部品に関して、その使用時の状態を示した図で、（ａ）は平面図、（ｂ）は断面図である。図１（ａ）及び（ｂ）に示す例では、締結部品１０として、スリット１ａ付のパイプ形状のシャフト１と、ヘッダ３との組合せにより、第１の被締結物４と第２の被締結物５とを締結する構造となっている。シャフト１は、頭部１ｄとその下端に向かって設けられたねじ部１ｃとを備えている。また、このシャフト1は、長さ方向の一部又は全長に渡って切り込まれて形成されたスリット１ａと、頭部１ｄの長さ方向中央部において、円周方向に形成されたヘッダ３を装着する窪み１ｂとを備えている。ここで、シャフト１の頭部１ｄのスリット１ａに直径方向に対向する部位に、ドライバ等の先端がかけやすいように溝が設けられている。また、使用時におけるシャフト１の径収縮方向への変形を防ぐための充填物として、中空のシャフト１の内部に心材２を充填させている。この心材２は、先に述べたように、常温域では高い剛性を有するが、シャフト１の材質である形状記憶材の変態温度を超える温度域では、軟化して極低い剛性しか有さない性質を持つ材料で構成され、例えば、ナイロン等の熱可塑性樹脂又は形状記憶樹脂、さらには、Ｓｎ−ＣｕやＳｎ−Ａｇ，Ｓｎ−Ｐｂなどを成分とするはんだ材料、又はＣｕ−Ｚｎ材や水素吸蔵合金などのように特定気体の雰囲気中でもろくなる性質をもつ素材等が用いられる。
【００１５】
尚、第１の被締結物４には、貫通孔４ａが設けられ、第２の被締結物５には、めねじが設けられている。
【００１６】
図２は本発明の実施の形態による易解体締結部品に関して、その解体時の状態を示した図で、（ａ）は平面図、（ｂ）は断面図である。これは図１に示すような締結部品系を、シャフト１の材質である形状記憶材の変態温度を超える温度域まで加熱した状態を表している。このとき心材２は軟化してごく低い剛性しか有しなくなり、シャフト１が径方向へ収縮変形するのを妨げない。したがって、シャフト１は容易に径方向へ収縮変形し、図２（ｂ）においては、シャフト１を上方向へ容易に引抜くことができる。ただし心材２の材質としてＣｕ−Ｚｎ材や水素吸蔵合金等の特定気体雰囲気中でもろくなる性質をもつ素材を用いた場合には、この締結部品系を加熱すると同時に、素材に応じて亜硫酸ガス又は水素等の雰囲気中に置くという処置が必要になる。
【００１７】
なお、図示はしないが、マーキング等により当該締結部品が加熱によって容易に解体可能であることをあらかじめ表示しておくことが、実際に家電品等を解体する作業の能率向上の点で有益である。
【００１８】
【発明の効果】
以上の説明の通り、この締結部品は解体時に加熱することによりシャフトを径方向に容易に収縮させ締結機能を喪央して解体容易となるようにすると共に、常温での使用中には径方向への収縮を起こしにくく、締結機能を長期に渡って維持できるという効果を有する。
【図面の簡単な説明】
【図１】（ａ）及び（ｂ）は本発明の実施の形態による易解体締結部品に関して、その使用時の状態を示す平面図及び断面図である。
【図２】（ａ）及び（ｂ）は本発明の実施の形態による易解体締結部品に関して、その解体時の状態を示す平面図及び断面図である。
【符号の説明】
１    シャフト
２    心材
３    ヘッダ
４    第１の被締結物
５    第２の被締結物
１０    易解体締結部品
【図１】
0004369079.tif 000002
【図２】
0004369079.tif 000003